(57)【特許請求の範囲】
【請求項１】
像担持体上の現像剤像を用紙に転写する転写手段と、
この転写手段により現像剤像を転写された用紙に対して加熱するとともに加圧することにより、用紙上に現像剤像を定着させる定着手段と、
この定着手段を通過した片面に画像形成済みの用紙を再度前記転写手段に搬送する再搬送手段と、
この再搬送手段の搬送路中に設けられる矯正ローラ及び、この矯正ローラに圧接され前記矯正ローラと共に前記用紙を挾持搬送する様駆動ローラ及びアイドルローラ間に掛け渡される矯正ベルトからなる矯正手段と、
前記矯正ベルトを前記矯正ローラから離間させる様前記アイドルローラを付勢する付勢手段及び、前記アイドルローラを前記付勢手段による付勢方向に抗して押圧し、前記アイドルローラの固定位置を変動する複数のカム手段からなる調整手段とを具備する事を特徴とする画像形成装置。
【請求項２】
像担持体上の現像剤像を用紙に転写する転写手段と、
この転写手段により現像剤像を転写された用紙に対して加熱するとともに加圧することにより、用紙上に現像剤像を定着させる定着手段と、
この定着手段を通過した片面に画像形成済みの用紙を再度前記転写手段に搬送する再搬送手段と、
この再搬送手段の搬送路中に設けられる矯正ローラ及びこの矯正ローラに圧接され前記矯正ローラと共に前記用紙を挾持搬送する様駆動ローラ及びアイドルローラ間に掛け渡される矯正ベルトからなる矯正手段と、
リア側及びフロント側に設けられ前記矯正ベルトを前記矯正ローラから離間させる様前記アイドルローラを付勢する一対の付勢手段及び、前記アイドルローラを前記一対の付勢手段による付勢方向に抗して押圧し前記アイドルローラの固定位置を前記リア側及びフロント側にて一体的に変動する複数のカム手段からなる一対の調整手段とを具備する事を特徴とする用紙搬送装置。
【発明の詳細な説明】
【０００１】
【産業上の利用分野】
本発明は定着装置通過後に、用紙に生じたカールを矯正して、再度転写装置の転写部に搬送する、画像形成装置における用紙搬送装置の改良に関する。
【０００２】
【従来の技術】
自動両面機能或いは多重機能等を有し、同一用紙に定着操作を繰り返す画像形成装置に於いて、先行する定着操作終了後に再度転写位置に用紙を搬送する装置にあっては、従来定着時に生じた紙カ−ルを矯正するために、単に固定のローラ間を挿通したり或いは、定着装置から転写装置に至る搬送路に矯正ガイドを設け、この矯正ガイド中を挿通する間に紙カールを矯正する等していた。
【０００３】
【発明が解決しようとする課題】
従来は、用紙を固定のローラ間に挿通したり或いは、矯正ガイド中に挿通する等して紙カールの矯正を行っていた。
【０００４】
このため、固定のローラを用いた場合にあっては、環境や紙質により用紙に生じる紙カールの程度が異るにもかかわらず、カール矯正力が常に一定である事から、紙カールの程度に応じた最適な矯正を行えず、用紙の変形が依然として残り、転写時に剥離ミスを生じたり或いは、逆に転写チャージャ内に用紙先端が入ってしまい、紙詰まりを生じるという問題を有していた。
【０００５】
一方矯正ガイドを用いた場合にあっては、元来カールの矯正力が弱く、確実な矯正を行えずカールが残ってしまうという問題を有していた。
【０００６】
そこで本発明は上記課題を除去するもので、環境や紙質による紙カールの程度に応じて、紙カールを確実に矯正出来、用紙の変形が原因で生じる紙詰まり或いは用紙の損傷を防止し、信頼性の高い画像形成装置における用紙搬送装置を提供する事を目的とする。
【０００７】
【課題を解決するための手段】
本発明は上記課題を解決する為の第１の手段として、像担持体上の現像剤像を用紙に転写する転写手段と、この転写手段により現像剤像を転写された用紙に対して加熱するとともに加圧することにより、用紙上に現像剤像を定着させる定着手段と、この定着手段を通過した片面に画像形成済みの用紙を再度前記転写手段に搬送する再搬送手段と、この再搬送手段の搬送路中に設けられる矯正ローラ及び、この矯正ローラに圧接され前記矯正ローラと共に前記用紙を挾持搬送する様駆動ローラ及びアイドルローラ間に掛け渡される矯正ベルトからなる矯正手段と、前記矯正ベルトを前記矯正ローラから離間させる様前記アイドルローラを付勢する付勢手段及び、前記アイドルローラを前記付勢手段による付勢方向に抗して押圧し、前記アイドルローラの固定位置を変動する複数のカム手段からなる調整手段とを設けるものである。
【００１３】
又本発明は上記課題を解決する為の第２の手段として、像担持体上の現像剤像を用紙に転写する転写手段と、この転写手段により現像剤像を転写された用紙に対して加熱するとともに加圧することにより、用紙上に現像剤像を定着させる定着手段と、この定着手段を通過した片面に画像形成済みの用紙を再度前記転写手段に搬送する再搬送手段と、この再搬送手段の搬送路中に設けられる矯正ローラ及びこの矯正ローラに圧接され前記矯正ローラと共に前記用紙を挾持搬送する様駆動ローラ及びアイドルローラ間に掛け渡される矯正ベルトからなる矯正手段と、リア側及びフロント側に設けられ前記矯正ベルトを前記矯正ローラから離間させる様前記アイドルローラを付勢する一対の付勢手段及び、前記アイドルローラを前記一対の付勢手段による付勢方向に抗して押圧し前記アイドルローラの固定位置を前記リア側及びフロント側にて一体的に変動する複数のカム手段からなる一対の調整手段とを設けるものである。
【００１４】
【作用】
本発明は上記の様に構成され、先行する定着工程により変形された用紙を挾持搬送する矯正手段の、用紙の挾持角度を調整可能とする事により、矯正手段によるカールの矯正力が適性となるよう調整出来、紙カールを確実に矯正し、次の転写工程或いは定着工程における紙詰まりや用紙の汚損を防止し、装置の信頼性を向上する。
【００１５】
【実施例】
以下本発明を図１乃至図５に示す一実施例を参照して説明する。
【００１６】
図１は画像形成装置１００全体を示し、画像形成手段２、自動両面装置４、大容量カセット装置５等を有する装置本体１及び、この装置本体１上面の原稿台３０に原稿を自動的に供給する自動原稿送り装置６並びに、給紙ユニット７からなっている。
【００１７】
そして装置本体１内のほぼ中央部にはドラム状の感光体１０が設けられ、この感光体１０の周囲には、その回転方向に沿って順次、帯電装置１１、露光装置１２の露光部１２ａ、現像装置１３、転写剥離チャ−ジャ１４、クリ−ニング装置１６、除電装置１７が設けられ画像形成手段２を構成している。
【００１８】
又装置本体１の右側には、上方に手差しトレイ１８ａを有し用紙Ｐを収納するサイドカセット１８及び大容量カセット装置５が取着され、給紙ユニット７には任意のサイズの用紙Ｐを収納する第１乃至第３の給紙カセット装置７ａ〜７ｃが取着されている。更に装置本体１の感光体１０下方には自動両面装置４の用紙集積部４ａが設けられている。
【００１９】
そして用紙Ｐを供給する各給紙カセット装置から、感光体１０上の転写剥離チャ−ジャ１４と対向する用紙搬送開始位置である転写位置１０ａに至る間には、夫々第１乃至第５の搬送経路３３ａ〜３３ｅが形成されている。各搬送経路３３ａ〜３３ｅ上には、搬送手段であり、サイドカセット装置１８、大容量カセット装置５、第１乃至第３の給紙カセット装置７ａ〜７ｃから夫々用紙Ｐを取り出す第１乃至第５のピックアップロ−ラ３４ａ〜３４ｅ、及び取り出された用紙Ｐを分離搬送する第１乃至第５の分離搬送ロ−ラ３６ａ〜３６ｅ並びに第１乃至第３の搬送伝達ロ−ラ３７ａ〜３７ｃが設けられている。
【００２０】
又装置本体１内には、レジストローラ２４を経て、感光体１０にてトナー像を転写された用紙Ｐを、搬送ベルト２６にてヒートローラ２７ａ及びプレスローラ２７ｂからなる一対の定着ローラ２７に搬送し、搬送ローラ１９、排紙ローラ２８を経て排紙トレイ９に導く、メイン搬送路２２が形成されている。
【００２１】
更にメイン搬送路２２の排紙ローラ２８上流には、定着終了後の用紙Ｐを、そのまま排紙するか、或いは両面コピーの為に再度感光体１０側に搬送するかを振り分けるための第１のゲ−ト２９が設けられている。
【００２２】
即ち、第１のゲート２９から感光体１０に達する間には、搬送手段であり、用紙Ｐを挿通するガイド板４２からなる再搬送装置４ｂが設けられ、第２のゲート３１にて、用紙集積部４ａに用紙Ｐを搬送している。
【００２３】
再搬送装置４ｂ中には矯正手段であり、矯正ローラ４３及び、この矯正ローラ４３に圧接され、固定の駆動ローラ４４及び揺動可能な支持ローラであるアイドルローラ４６間に張設され、ガイド板４２と共に用紙をガイドする矯正ベルト４７からなる矯正装置４８が設けられている。
【００２４】
そしてアイドルローラ４６は、シャフト４６ａが、図示しないフロントフレーム及びリアフレームのスリット５０内をスライドする一方、フロント側及びリア側に夫々設けられる付勢手段である一対のコイルスプリング５１により常時矢印ｓ方向に付勢され、更にフロント側及びリア側に設けられる一対の押え板５２ａ、５２ｂに形成される第１乃至第４のカム部５３ａ〜５３ｄにより、コイルスプリング５１の付勢力に抗して第１乃至第４の位置に固定される様になっている。
【００２５】
ここでリア側及びフロント側の一対の押え板５２ａ、５２ｂは、その回動中心５６ａ、５６ｂに挿通されるシャフト５７により連結され、連動される様になっている。又５８は、フロント側押え板５２ａのスリット５８ａに挿通され、押え板５２ａを任意の回動状態にてフロントフレームに固定する止めねじである。
【００２６】
更に一対の押え板５２ａ、５２ｂに形成される第１乃至第４のカム部５３ａ〜５３ｄは、押え板５２ａ、５２ｂの回動中心５６ａ、５６ｂからの距離が、夫々１６ｍｍ、１７ｍｍ、１８ｍｍ、１９ｍｍと順次１ｍｍずつ長くなるよう設定されている。
【００２７】
一方自動原稿送り装置６は、原稿トレイ６０からピックアップロ−ラ６１ａ、さばきロ−ラ６１ｂ、アライニングロ−ラ６１ｃを経て搬送された原稿を、ベルトロ−ラ６２間に掛け渡される搬送ベルト６３により原稿台３０上に供給し、コピ−終了後搬送ベルト６３により反転ロ−ラ６４ａ及び排紙ロ−ラ６４ｂを介し排紙部６８側に原稿を排出するものである。
【００２８】
次に作用について説明する。コピ−開始時、図示しない操作パネル上より用紙サイズ、コピ−部数、コピ−倍率等の必要な画像形成条件を入力し、自動原稿送り装置６の原稿トレイ６０、あるいは直接原稿台３０に原稿をセットし、コピ−キ−（図示せず）をオンしコピ−を開始する。
【００２９】
これにより、画像形成手段２、自動原稿送り装置６、給紙ユニット７等が駆動される、定着ロ−ラ２７にあっては、ヒ−トロ−ラ２７ａの加熱が開始される。そして自動原稿送り装置６より原稿を供給する場合には、ピックアップロ−ラ６１ａ、さばきロ−ラ６１ｂ、アライニングロ−ラ６１ｃを経て搬送ベルト６３により原稿が原稿台３０に載置される。
【００３０】
一方、装置本体１にあっては、感光体１０がその回転に従い画像形成手段２により順次、帯電、露光、現像の各工程を実施され、その表面にトナ−像を形成され、転写剥離チャ−ジャ１４に達する。
【００３１】
これと同期して、設定された用紙サイズに応じて、第１乃至第３の給紙カセット装置７ａ〜７ｃ、サイドカセット１８、手差しトレイ１８ａあるいは大容量カセット装置５のいずれかから供給された用紙Ｐは、感光体１０上のトナ−像と先端が揃うタイミングで感光体１０と転写剥離チャ−ジャ１４との間の転写位置１０ａに送られ、感光体１０上のトナ−像を転写され、感光体１０より剥離された後搬送ベルト２６により定着ロ−ラ２７間に挿通され画像を定着される。
【００３２】
この後用紙は、通常コピーである場合には排紙ロ−ラ２８に搬送され排紙トレイ９に集積される一方、両面コピ−を行う場合には、１回目の定着終了後、第１のゲ−ト２９により自動両面装置４側に振り分けられる事となる。
【００３３】
尚、転写終了後感光体１０は、クリ−ニング装置１６、除電装置１７を経て次のコピ−可能とされる。
【００３４】
次に再搬送装置４ｂにおける搬送工程及び、矯正装置４８の調整工程について詳述する。
【００３５】
矯正装置４８にあっては、通常は、押え板５２ａ、２５ｂの第２のカム部５３ｂにより、アイドルローラ４６が、コイルスプリング５１の付勢力に抗して固定され、平均的なカール矯正力を保持している。
【００３６】
そして定着終了後、両面コピーのため、再搬送装置４ｂ側に振り分けられた用紙Ｐは、カールされた状態でガイド板４２内を搬送されるが、矯正装置４８に達し、矯正ローラ４３及び矯正ベルト４７間を挾持搬送される間に、紙カールを矯正される。この後用紙Ｐは、用紙集積部４ａに一旦集積された後レジストローラ２４方向に再度搬送される。
【００３７】
この間、自動原稿送り装置６にあっては、両面コピーの原稿が原稿台３０に供給され、装置本体１にあっては、感光体１０上に原稿画像に応じたトナー像が形成される。
【００３８】
従ってこの感光体１０上のトナー像と同期して、用紙集積部４ａより用紙Ｐが感光体１０上の転写位置１０ａに搬送されるが、この時、用紙Ｐは矯正装置４８にてカールを矯正されており、転写剥離チャージャ１４に入り込んだり、或いは剥離ミス等を生じることなく、転写工程を実施される。
【００３９】
この後用紙Ｐは搬送ベルト２６にて再度定着ローラ２７に搬送されるが、この時も、先行する定着時に生じたカールの影響を受ける事なく良好に定着され、剥離された後、排紙ロ−ラ２８により排紙トレイ９に集積されコピー操作を終了する。
【００４０】
一方、再搬送装置４ｂにより搬送される間に、矯正装置４８にて挾持搬送されたにもかかわらず、用紙Ｐのカールが除去されなかったり或いは、矯正装置による矯正力が強すぎて逆方向に変形を生じてしまった場合、サービスマンは、図示しないフロントカバーを開放し、用紙Ｐのカールの程度に応じて、矯正ベルト４７の矯正ローラ４３に対する圧接角度を変える為、押え板５２ａ、５２ｂによりアイドルローラ４６の固定位置を調整する。
【００４１】
即ち、矯正装置４８による矯正力が弱く、矯正装置４８による挾持搬送後も用紙Ｐにカールが残っている場合は、止めねじ５８を緩めてフロント側の押え板５２ａを矢印ｔ方向に回動し、コイルスプリング５１に抗して第３或いは第４のカム部５３ｃ、５３ｄにてアイドルローラ４６を固定し、点線４７ａ或いは一点鎖線４７ｂに示すように、矯正ベルト４７の矯正ローラ４６に対する圧接角度を小さくする事により、矯正力を強める様調整した後、止めねじ５８を締めて押え板５２ａを固定する。
【００４２】
一方、矯正装置４８による矯正力が強すぎた場合は、止めねじ５８を緩めてフロント側の押え板５２ａを矢印ｕ方向に回動し、コイルスプリング５１に抗して第１のカム部５３ａにてアイドルローラ４６を固定し、二点鎖線４７ｃに示すように、矯正ベルト４７の矯正ローラ４３に対する圧接角度を大きくする事により、矯正力を弱める様調整した後、止めねじ５８を締めて押え板５２ａを固定する。
【００４３】
尚このフロント側の押え板５２ａの回動に伴い、シャフト５７にて連結されるリア側押え板５２ｂも一体的に回動され、リア側でもアイドルローラ４６の固定位置の調整が成されている。
【００４４】
そしてこの様な矯正装置４８の調整は、環境の変化或いは使用する紙質の変化によるカールの程度に応じて随時可能とされる。
【００４５】
この様に構成すれば、装置本体１のフロント側にて、止めねじ５８を緩めて押え板５２ａを回動するのみで、フロント側及びリア側の両側にて押え板５２ａ、２ｂにより、アイドルローラ４６の固定位置を均等に変動し、長手方向全長に渡り、矯正ローラ４３に対する矯正ベルト４７の圧接角度を均等に調整する事により、用紙Ｐに生じたカールの矯正力を幅方向に均等に調整出来る。従って環境や紙質の変化により、紙カール量が変化したとしても、変化に対応して常に適正な矯正を行え、紙カールを、幅方向全長に渡り確実に矯正出来、用紙集積部４ａへの集積時に用紙Ｐが折曲されたり或いは次の転写時に紙詰まりを生じたりするのを防止出来、装置の信頼性を向上出来る。
【００４６】
しかも本実施例にあっては、フロント側の押え板５２ａを操作するのみでリア側に設けられる押え板５２ｂが連動されるので、容易且つ短時間で矯正力調整を行えその操作性が損なわれる事も無い。
【００４７】
又本実施例にあっては、矯正装置４８が再搬送装置４ｂ中に設けられる事から、矯正装置４８を設置する為の新たなスペースを設ける必要がなく、装置の小型化が妨げられる惧れもない。
【００４８】
尚、本発明は上記実施例に限られるものでは無く、その趣旨を変えない範囲での変更が可能であり、例えばカム手段を有する調整手段を複数枚備え、矯正ローラに対する矯正ベルトの調整範囲の幅を広げ更に微調整可能とするようにしても良い。
【００４９】
更に矯正手段の設置位置も任意であり、排紙側或いは再搬送側に振り分けるゲートの手前に設ける等しても良い。
【００５０】
【発明の効果】
以上説明したように本発明によれば、同一の用紙に転写工程及び定着工程を繰り返す画像形成装置に於いて、定着終了後に、用紙を挾持搬送して用紙に生じた変形を矯正する矯正手段の矯正力を調整可能とする事により、環境や紙質の変化により用紙の変形量が変化したとしても、変化に対応して常に適正な矯正操作を実施出来、再搬送中における用紙詰まり或いは用紙の損傷を確実に防止し、装置の信頼性向上を図れる。
【図面の簡単な説明】
【図１】本発明の一実施例の画像形成装置を示す概略構成図である。
【図２】本発明の一実施例の矯正装置を示す概略側面図である。
【図３】本発明の一実施例の押え板を示す正面図である。
【図４】本発明の一実施例の矯正装置の調整時を示す概略説明図である。
【図５】本発明の一実施例のフロント側及びリア側の押え板を示す概略斜視図である。
【符号の説明】
１…装置本体
４ａ…用紙集積部
４ｂ…再搬送装置
１０…感光体
２７…定着ローラ
４３…矯正ローラ
４６…アイドルローラ
４７…矯正ベルト
４８…矯正装置
５１…コイルスプリング
５２ａ、５２ｂ…押え板
【図１】
0003614517.tif 000002
【図２】
0003614517.tif 000003
【図３】
0003614517.tif 000004
【図４】
0003614517.tif 000005
【図５】
0003614517.tif 000006